(57)【要約】【課題】記録画像の種類等に応じて記録がなされた被記録媒体を別々に分ける際の作業負担を軽減することで生産性を向上する。【解決手段】被記録媒体Ｐの搬送機構３と、前記搬送機構３により搬送される前記被記録媒体Ｐに記録する記録ヘッド５と、前記記録ヘッド５により記録された前記被記録媒体Ｐを巻き取る複数の巻取部１２、１３と、前記被記録媒体Ｐを切断する切断部６と、前記複数の巻取部１２、１３のうちの一の巻取部１２から他の巻取部１３に前記被記録媒体Ｐを巻き取らせる巻取部を変える際に、前記切断部６により切断されることで形成される前記被記録媒体Ｐの先端部を該他の巻取部１３までガイドするガイド部７と、を備える。【選択図】図２
2014141323.tif 000002
【特許請求の範囲】
【請求項１】
被記録媒体の搬送機構と、
前記搬送機構により搬送される前記被記録媒体に記録する記録ヘッドと、
前記記録ヘッドにより記録された前記被記録媒体を巻き取る複数の巻取部と、
前記被記録媒体を切断する切断部と、
前記複数の巻取部のうちの一の巻取部から他の巻取部に前記被記録媒体を巻き取らせる巻取部を変える際に、前記切断部により切断されることで形成される前記被記録媒体の先端部を該他の巻取部までガイドするガイド部と、を備えることを特徴とする記録装置。
【請求項２】
請求項１に記載の記録装置において、
前記ガイド部は、
前記被記録媒体を巻き取る際の該被記録媒体の張力を調整するために該被記録媒体と接触する接触部と、
前記被記録媒体を巻き取らせる巻取部を変える際に、前記被記録媒体の先端部をガイドするガイド面と、を有することを特徴とする記録装置。
【請求項３】
請求項２に記載の記録装置において、
前記ガイド部は、前記接触部と前記ガイド面とが一体化されていることを特徴とする記録装置。
【請求項４】
請求項１に記載の記録装置において、
前記複数の巻取部が設けられたターレットを備え、
前記ターレットは、前記被記録媒体を巻き取らせる巻取部を変える際に、前記一の巻取部よりも前記他の巻取部を前記被記録媒体の搬送方向の上流側に移動可能であることを特徴とする記録装置。
【請求項５】
請求項４に記載の記録装置において、
前記ガイド部は、前記複数の巻取部のうちの少なくとも一つの巻取部の一部に沿う凹部と、該凹部から伸びるとともに前記被記録媒体の先端部をガイドするガイド面と、を有することを特徴とする記録装置。
【請求項６】
請求項５に記載の記録装置において、
前記ガイド部は、前記複数の巻取部各々に設けられていることを特徴とする記録装置。
【発明の詳細な説明】
【技術分野】
【０００１】
本発明は、記録された被記録媒体を巻き取る巻取部を備える記録装置に関する。
【背景技術】
【０００２】
従来から、被記録媒体に記録する記録装置が使用されている。このような記録装置を用いて被記録媒体に画像を記録する場合、記録画像の種類等に応じて、記録がなされた被記録媒体を別々に分けて巻き取らせたい場合がある。しかしながら、一の種類の画像の記録が終了する毎に、記録動作を中断し、記録がなされて巻き取られた被記録媒体のロールを記録装置から取り外し、その後、新たなロールを形成するのは手間と時間がかかる。  
このため、例えば、特許文献１には、被記録媒体を巻き取る巻取軸が複数設けられたターレットを備える記録装置が開示されている。特許文献１に開示された記録装置は、記録動作を中断することなく、該巻取軸毎に記録がなされた被記録媒体を別々に分けて巻き取らせることができる。
【先行技術文献】
【特許文献】
【０００３】
【特許文献１】特開平１１−１１５１６６号公報
【発明の概要】
【発明が解決しようとする課題】
【０００４】
しかしながら、特許文献１の記録装置は、記録がなされた被記録媒体を別々に分けて巻き取らせることができる構成になっているものの、一の巻取軸から他の巻取軸に巻取軸を変える際の作業負担は大きかった。これは、巻取軸を変える際、被記録媒体を切断し、該一の巻取軸から該他の巻取軸に変更するが、切断により形成された被記録媒体の先端部を該他の巻取軸にセットする際、被記録媒体の種類や大きさ等によっては手間や時間がかかる場合等があるためである。  
すなわち、記録された被記録媒体を巻き取る巻取部を備える従来の記録装置は、記録画像の種類等に応じて記録がなされた被記録媒体を別々に分ける際の作業負担が大きく、生産性が良くなかった。
【０００５】
そこで、本発明の目的は、記録画像の種類等に応じて記録がなされた被記録媒体を別々に分ける際の作業負担を軽減することで生産性を向上することである。
【課題を解決するための手段】
【０００６】
上記課題を解決するための本発明の第１の態様の記録装置は、被記録媒体の搬送機構と、前記搬送機構により搬送される前記被記録媒体に記録する記録ヘッドと、前記記録ヘッドにより記録された前記被記録媒体を巻き取る複数の巻取部と、前記被記録媒体を切断する切断部と、前記複数の巻取部のうちの一の巻取部から他の巻取部に前記被記録媒体を巻き取らせる巻取部を変える際に、前記切断部により切断されることで形成される前記被記録媒体の先端部を該他の巻取部までガイドするガイド部と、を備えることを特徴とする。
【０００７】
本態様によれば、切断により形成された前記被記録媒体の先端部を前記他の巻取軸にセットする際、該先端部が該他の巻取部までガイドされるので、その作業負担を軽減することができる。
【０００８】
本発明の第２の態様の記録装置は、前記第１の態様において、前記ガイド部は、前記被記録媒体を巻き取る際の該被記録媒体の張力を調整するために該被記録媒体と接触する接触部と、前記被記録媒体を巻き取らせる巻取部を変える際に、前記被記録媒体の先端部をガイドするガイド面と、を有することを特徴とする。
【０００９】
ここで「前記被記録媒体を巻き取る際の該被記録媒体の張力を調整するために該被記録媒体と接触する接触部」とは、前記被記録媒体の張力を調整することにより被記録媒体を巻き取る際の巻き取り不良を抑制するために使用される部材である。例えば、被記録媒体に対して記録がなされた面と逆側から押し当てる所謂テンションバー等がこれに該当する。  
本態様によれば、前記ガイド部は前記被記録媒体の張力調整部材の役割を兼ねている。このため、新たな構成部材を設けることなく、被記録媒体を巻き取る際の巻き取り不良を抑制することができる。
【００１０】
本発明の第３の態様の記録装置は、前記第２の態様において、前記ガイド部は、前記接触部と前記ガイド面とが一体化されていることを特徴とする。
【００１１】
本態様によれば、前記ガイド部は前記接触部と前記ガイド面とが一体化されているので、簡単な構成、低コストでありながら、生産性の向上と、被記録媒体を巻き取る際の巻き取り不良の抑制とが可能になる。
【００１２】
本発明の第４の態様の記録装置は、前記第１の態様において、前記複数の巻取部が設けられたターレットを備え、前記ターレットは、前記被記録媒体を巻き取らせる巻取部を変える際に、前記一の巻取部よりも前記他の巻取部を前記被記録媒体の搬送方向の上流側に移動可能であることを特徴とする。
【００１３】
本態様によれば、新たな巻取部に被記録媒体をセットする際の作業負担が軽減するとともに、前記被記録媒体の巻き取りが終了した巻取部は前記搬送方向の下流側に来るので巻き取りが終了した被記録媒体のロールを容易に回収することができる。
【００１４】
本発明の第５の態様の記録装置は、前記第４の態様において、前記ガイド部は、前記複数の巻取部のうちの少なくとも一つの巻取部の一部に沿う凹部と、該凹部から伸びるとともに前記被記録媒体の先端部をガイドするガイド面と、を有することを特徴とする。
【００１５】
本態様によれば、前記ガイド部は、簡単な構成でありながら、前記被記録媒体の先端部のガイド機能を有する。すなわち、低コストで、生産性の向上が可能になる。
【００１６】
本発明の第６の態様の記録装置は、前記第５の態様において、前記ガイド部は、前記複数の巻取部各々に設けられていることを特徴とする。
【００１７】
本態様によれば、前記ガイド部は前記複数の巻取部各々に設けられているので、何れの巻取部も最初に巻き取りを行う巻取部として使用できるため、被記録媒体を別々に分ける際の作業負担をさらに軽減することができる。
【図面の簡単な説明】
【００１８】
【図１】本発明の実施例１に係る記録装置を表す概略側面図。
【図２】本発明の実施例１に係る記録装置のガイド部の動作を説明するための図。
【図３】本発明の実施例２に係る記録装置のガイド部の動作を説明するための図。
【図４】本発明の実施例３に係る記録装置を表す概略側面図。
【図５】本発明の実施例３に係る記録装置のターレットの動作を説明するための図。
【図６】本発明の実施例４に係る記録装置を表す概略側面図。
【発明を実施するための形態】
【００１９】
［実施例１］（図１〜図２）
以下に、本発明の実施例に係る記録装置について、添付図面を参照して詳細に説明する。  
最初に、本発明の実施例１に係る記録装置について説明する。  
図１は本発明の実施例１に係る記録装置１の概略斜視図を表している。
【００２０】
本実施例の記録装置１は、記録を行うための被記録媒体ＰのロールＲ１を送り出すことが可能な被記録媒体Ｐのセット部２を備えている。なお、本実施例の記録装置１は被記録媒体Ｐとしてロール式の被記録媒体を使用しているが、記録された被記録媒体の巻取機構を備える記録装置であればよく、このようなロール式の被記録媒体を使用する記録装置に限定されない。  
本実施例の記録装置１は、被記録媒体Ｐを搬送する際、セット部２は回転方向Ｃに回転する。
【００２１】
また、本実施例の記録装置１は、ロール式の被記録媒体Ｐを搬送方向Ａに搬送する搬送機構３を備えている。搬送機構３は、被記録媒体Ｐを加熱可能な不図示のヒーターを備えたプラテン４を有し、また、不図示の複数の搬送ローラーを備えている。
【００２２】
また、被記録媒体Ｐの搬送方向Ａと交差する走査方向Ｂに記録ヘッド５を往復走査させて記録する記録機構を備えている。なお、本実施例の記録装置１は、記録ヘッド５を往復走査させて記録する記録機構を備えているが、インクを吐出するノズルを搬送方向Ａと交差する方向に複数設けた所謂ラインヘッドを備える記録装置でもよい。
【００２３】
記録ヘッド５の被記録媒体Ｐの搬送方向Ａにおける下流側には、被記録媒体Ｐを切断可能な切断部としてのカッター６が備えられている。
【００２４】
また、カッター６の被記録媒体Ｐの搬送方向Ａにおける下流側には、被記録媒体Ｐを巻き取る際の該被記録媒体Ｐの張力を調整する役割と被記録媒体Ｐを巻き取る際のガイドの役割とを兼ねるガイド部７が備えられている。  
ガイド部７は、被記録媒体Ｐをガイド可能なガイド面９、ガイド面９と交差する交差面１０を有し、交差面１０の先端部には被記録媒体Ｐの張力を調整するために該被記録媒体Ｐと接触する接触部８が設けられている。すなわち、接触部８とガイド面９とが一体化されている。また、ガイド部７は回転軸１１を基準に回転可能であり、該回転軸１１の方向はガイド面９と交差面１０との交差方向（本実施例では走査方向Ｂに沿う方向）である。  
ガイド部７は、被記録媒体Ｐの張力調整部材の役割を兼ねているため、新たな構成部材を設けることなく、被記録媒体Ｐを巻き取る際の巻き取り不良を抑制することができる。
【００２５】
ガイド部７の被記録媒体Ｐの搬送方向Ａにおける下流側には、被記録媒体Ｐを巻き取り可能な巻取部１２、１３が備えられている。図１は巻取部１２により被記録媒体Ｐが巻き取られロールＲ２が形成されている状態を表している。  
本実施例の記録装置１は、被記録媒体Ｐを巻き取る際、巻取部１２、１３は回転方向Ｃに回転する。
【００２６】
次に、本実施例の記録装置１において、被記録媒体Ｐを巻き取る巻取部を変更する際のガイド部７の動作を説明する。  
図２は、本実施例の記録装置のガイド部の動作を説明するための図である。また、図２（Ａ）は巻取部１２により被記録媒体Ｐが巻き取られている状態を表している。そして、図２（Ｂ）は被記録媒体Ｐを巻き取る巻取部を巻取部１２から巻取部１３に変更している途中の状態を表している。そして、図２（Ｃ）は巻取部１３による被記録媒体Ｐの巻き取りが開始された状態を表している。
【００２７】
図２（Ａ）及び図２（Ｂ）で表されるように、被記録媒体Ｐを巻き取る巻取部を巻取部１２から巻取部１３に変更することに伴い、ガイド部７は、回転軸１１を基準に回転方向Ｃに回転する。なお、図２（Ｂ）はカッター６により被記録媒体Ｐが切断された後の状態である。  
このような被記録媒体Ｐを巻き取る巻取部の変更は記録中に行うことが可能である。
【００２８】
図２（Ｃ）は、カッター６により被記録媒体Ｐが切断された後に記録が継続され、ガイド部７のガイド面９が被記録媒体Ｐの先端部を巻取部１３までガイドし、巻き取りが開始された際のガイド部１６の位置を表している。図２（Ｃ）で表されるように、ガイド部７は、複数の巻取部のうちの一の巻取部１２から他の巻取部１３に被記録媒体Ｐを巻き取らせる巻取部を変える際に、カッター６により切断されることで形成された被記録媒体Ｐの先端部を該他の巻取部１３までガイドする。こうして、新たなロールＲ３が巻取部１３に形成される。
【００２９】
図２（Ａ）から図２（Ｃ）で表されるように、本実施例の記録装置１では、ガイド部７は、被記録媒体Ｐを巻き取らせる巻取部を変える際のカッター６による該被記録媒体Ｐの切断に伴って回転軸１１を基準に回転する。そして、被記録媒体Ｐの先端部をガイド可能な位置にガイド面９を移動する。  
本実施例の記録装置１は、このような構成により、切断により形成された被記録媒体Ｐの先端部を前記他の巻取軸にセットする際、該先端部が該他の巻取部までガイドされるので、その作業負担を軽減することができる。また、ガイドされた被記録媒体Ｐの先端部は、ガイド面９と巻取部１３の間をガイドされるので、巻取部１３に予めセットされている紙管表面の粘着性材料により良好に巻きつくことが可能である。
【００３０】
なお、本実施例の記録装置１において、ガイド部７は、被記録媒体Ｐを切断した際、自重により回転方向Ｃに回転する構成となっている。ただし、このような構成に限定されず、例えば、ガイド部７の回転機構とその制御部とを設け、該制御部による該回転機構の制御によりガイド部７が回転する構成としてもよい。
【００３１】
［実施例２］（図３）
次に、本発明の実施例２に係る記録装置について説明する。  
図３は本発明の実施例２に係る記録装置１の要部を表しており、ガイド部７の動作を説明するための図である。なお、上記実施例と共通する構成部材は同じ符号で示しており、詳細な説明は省略する。  
また、図３（Ａ）は巻取部１２により被記録媒体Ｐが巻き取られている状態を表している。そして、図３（Ｂ）は巻取部１３による被記録媒体Ｐの巻き取りが開始された状態を表している。
【００３２】
本実施例の記録装置１は、ガイド部７の形状が異なる点のみにおいて実施例１の記録装置１と相違する。具体的には、本実施例の記録装置１のガイド部７は、ガイド面９に対する該ガイド面９と交差面１０との交線の位置が、実施例１の記録装置１のガイド部７とは逆側になっている。  
なお、本実施例の記録装置１も実施例１の記録装置１と同様、ガイド部７は、被記録媒体Ｐを切断した際、自重により回転方向Ｃに回転し、図３（Ｂ）で表される位置で、巻取部１３まで被記録媒体Ｐの先端部をガイドする。
【００３３】
［実施例３］（図４〜図５）
次に、本発明の実施例３に係る記録装置について説明する。  
図４は本発明の実施例３に係る記録装置１の概略斜視図を表している。なお、上記実施例と共通する構成部材は同じ符号で示しており、詳細な説明は省略する。
【００３４】
本実施例の記録装置１は、回転軸１５を基準に回転可能であり、巻取部１２、１３が設けられた、ターレット１４を備えている。ここで、巻取部１２、１３は回転方向Ｄに回転することにより被記録媒体Ｐを巻き取り可能である。また、巻取部１３には、巻取部１３の一部に沿う凹部１８と、該凹部１８から伸びるとともに被記録媒体Ｐの先端部をガイドするガイド面１９と、を有するガイド部１６が設けられている。
【００３５】
次に、本実施例の記録装置１において、被記録媒体Ｐを巻き取る巻取部を変更する際のターレット１４の動作を説明する。  
図５は、本実施例の記録装置１のターレット１４の動作を説明するための図である。また、図５（Ａ）は巻取部１２により被記録媒体Ｐが巻き取られている状態を表している。そして、図５（Ｂ）は被記録媒体Ｐを巻き取る巻取部を巻取部１２から巻取部１３に変更している途中の状態を表している。そして、図５（Ｃ）は巻取部１３による被記録媒体Ｐの巻き取りが開始された状態を表している。
【００３６】
図５（Ａ）及び図５（Ｂ）で表されるように、被記録媒体Ｐを巻き取る巻取部を巻取部１２から巻取部１３に変更することに伴い、ターレット１４は、回転軸１５を基準に回転方向Ｄに回転する。なお、図５（Ｂ）はカッター６により被記録媒体Ｐが切断された後の状態であり、被記録媒体Ｐを切断した際、巻取部１２及びロールＲ２の重さを含む自重により回転方向Ｄに回転した状態である。  
このような被記録媒体Ｐを巻き取る巻取部の変更は記録中に行うことが可能である。
【００３７】
図５（Ｃ）は、カッター６により被記録媒体Ｐが切断された後に記録が継続され、ガイド部１６のガイド面１９が被記録媒体Ｐの先端部を巻取部１３までガイドし、巻き取りが開始された際のガイド部１６の位置を表している。図５（Ｃ）で表されるように、ガイド部１６は、複数の巻取部のうちの一の巻取部１２から他の巻取部１３に被記録媒体Ｐを巻き取らせる巻取部を変える際に、カッター６により切断されることで形成された被記録媒体Ｐの先端部を該他の巻取部１３までガイドする。こうして、新たなロールＲ３が巻取部１３に形成される。
【００３８】
図５（Ａ）から図５（Ｃ）で表されるように、本実施例の記録装置１では、ターレット１４は、被記録媒体Ｐを巻き取らせる巻取部を変える際のカッター６による該被記録媒体Ｐの切断に伴って回転軸１５を基準に回転する。そして、被記録媒体Ｐの先端部をガイド可能な位置にガイド部１６を移動する。  
本実施例の記録装置１は、このような構成により、切断により形成された被記録媒体Ｐの先端部を前記他の巻取軸にセットする際、該先端部が該他の巻取部までガイドされるので、その作業負担を軽減することができる。
【００３９】
なお、本実施例の記録装置１において、ターレット１４は、被記録媒体Ｐを切断した際、巻取部１２及びロールＲ２の重さを含む自重により回転方向Ｄに回転する構成となっている。ただし、このような構成に限定されず、例えば、ターレット１４の回転機構とその制御部とを設け、該制御部による該回転機構の制御によりターレット１４が回転する構成としてもよい。また、ガイド部１６は、ロールＲ３の直径に応じて、巻取部１３から離間可能な構成としてもよい。
【００４０】
また、本実施例の記録装置１では、ターレット１４は、被記録媒体Ｐを巻き取らせる巻取部を巻取部１２から巻取部１３に変える際に、巻取部１２よりも巻取部１３を搬送方向Ａの上流側に移動する。このため、新たな巻取部１３に被記録媒体Ｐをセットする際の作業負担が軽減するとともに、被記録媒体Ｐの巻き取りが終了した巻取部１２は搬送方向Ａの下流側に来るので巻き取りが終了した被記録媒体ＰのロールＲ２を回収しやすい構成となっている。ただし、このような構成に限定されない。
【００４１】
［実施例４］（図６）
次に、本発明の実施例４に係る記録装置について説明する。  
図６は本発明の実施例４に係る記録装置１の概略斜視図を表している。なお、上記実施例と共通する構成部材は同じ符号で示しており、詳細な説明は省略する。
【００４２】
本実施例の記録装置１は、巻取部１３にガイド部１６が設けられているだけでなく巻取部１２にもガイド部１７が設けられている点のみにおいて実施例３の記録装置１と相違する。ガイド部１７は、ガイド部１６と同様の形状であり、巻取部１２の一部に沿う凹部１８と、該凹部１８から伸びるとともに被記録媒体Ｐの先端部をガイドするガイド面１９と、を有する。
【００４３】
実施例３の記録装置１は、巻取部１３にのみガイド部１６が設けられている構成であるため、最初に巻取部１２により巻き取りを行うことを前提としている。一方、本実施例の記録装置１は、巻取部１２及び巻取部１３の両方（複数の巻取部の何れにも）ガイド部が設けられている構成であるため、何れのガイド部を最初に用いてもよく、被記録媒体を別々に分ける際の作業負担をさらに軽減することができる。
【００４４】
なお、被記録媒体ＰのロールＲ１は上記実施例では巻回されたもので説明を行っているが、これに限らず折りたたまれたものや、記録装置１へ直接供給されるなどの形態であってもよい。また、被記録媒体Ｐは、情報が印刷される被記録媒体に限らず、捺染に用いられる布帛、転写用紙、サインや広告、ラベルなどに使用するプラスチックメディア、等の情報や画像が印刷される媒体であってもよい。  
また、上記実施例では何れも複数の巻取部として、巻取部が２つ設けられた記録装置を用いて説明を行っているが、３つ以上巻取部を設けた記録装置であってもよい。
【符号の説明】
【００４５】
１  記録装置、２  セット部、３  搬送機構、４  プラテン、５  記録ヘッド、
６  カッター、７  ガイド部、８  接触部、９  ガイド面、１０  交差面、
１１  回転軸、１２  巻取部、１３  巻取部、１４  ターレット、１５  回転軸、
１６  ガイド部、１７  ガイド部、１８  凹部、１９  ガイド、Ｐ  被記録媒体
【図１】
2014141323.tif 000003
【図２】
2014141323.tif 000004
【図３】
2014141323.tif 000005
【図４】
2014141323.tif 000006
【図５】
2014141323.tif 000007
【図６】
2014141323.tif 000008